(57)【特許請求の範囲】
【請求項１】
案内用の端末装置とサービスセンタとがネットワークを介して相互に通信可能に接続され、端末装置が予め作成した旅行計画に従って案内を行う経路誘導方法において、
前記端末装置は、ユーザからの指示を受け付ける指示受付部と、サービスセンタからの各種のデータを表示装置に表示させる表示処理部とを備え、前記サービスセンタは、前記端末装置を使用するユーザから端末装置を介して送られてくる旅行計画に従って案内すべき経路の探索を行う経路探索部を備え、
前記端末装置は、前記旅行計画及び該計画に従って前記サービスセンタの経路探索部に案内すべき経路を探索させ、地図及び探索した経路情報をネットワークを介してサービスセンタからダウンロードし、これらを表示して経路の案内を行うものであり、
前記端末装置は、経路の案内を行う際、前記端末装置がスタンドにセットされているか否かにより歩行中の状態における使用か車載状態での使用かを判断し、前記端末装置が手に持たれている歩行中の状態の場合と、車内に設置されている車載状態の場合とにより、案内する地図の範囲を変更し、歩行中の状態と判断した場合、目的地を検索する際に、現在地周辺の地名を選択可能な目的地の候補として検索を行い、車載状態と判断した場合、目的地を検索する際に、全国の地名を選択可能な目的地の候補として検索を行い、一方通行を考慮した経路探索を行うことを特徴とする経路誘導方法。
【請求項２】
案内用の端末装置とサービスセンタとがネットワークを介して相互に通信可能に接続され、予め作成さした旅行計画に従って案内を行う経路誘導のための端末装置において、
該端末装置は、ユーザからの指示を受け付ける指示受付部と、サービスセンタからの各種のデータを表示装置に表示させる表示処理部とを備え、前記サービスセンタは、前記端末装置を使用するユーザから端末装置を介して送られてくる旅行計画に従って案内すべき経路の探索を行う経路探索部を備え、
前記端末装置は、前記旅行計画に従って前記サービスセンタに案内すべき経路を探索させ、地図及び探索した経路情報をネットワークを介してサービスセンタからダウンロードし、これらを表示して経路の案内を行い、かつ、ＧＰＳ機能を有して、前記端末装置の位置と、ダウンロードした地図と経路とにより、経路の案内を行うものであり、
前記端末装置は、経路の案内を行う際、前記端末装置がスタンドにセットされているか否かにより歩行中の状態における使用か車載状態での使用かを判断し、前記端末装置が手に持たれている歩行中の状態の場合と、車内に設置されている車載状態の場合とにより、案内する地図の範囲を変更し、歩行中の状態と判断した場合、目的地を検索する際に、現在地周辺の地名を選択可能な目的地の候補として検索を行い、車載状態と判断した場合、目的地を検索する際に、全国の地名を選択可能な目的地の候補として検索を行い、一方通行を考慮した経路探索を行うことを特徴とする端末装置。
【発明の詳細な説明】
【０００１】
【発明の属する技術分野】
本発明は、経路誘導方法及びそのための端末装置に係り、特に、インターネット等のネットワークを介して予め登録した旅行プランに従って、車内あるいは歩いている状態で、径路の案内を行うことを可能にした経路誘導方法及びそのための端末装置に関する。
【０００２】
【従来の技術】
近年、インターネットなどのネットワークを利用した旅行案内サービスが行われている。ここで、旅行案内サービスとは、ユーザに旅行プランを提案し、旅行に必要な宿泊施設の予約や鉄道の切符の手配などをユーザに代わって行うサービスのことである。ネットワークを利用した旅行案内サービスによれば、ユーザは、わざわざ旅行代理店に出向かなくても、自宅や出先のコンピュータを使って、旅行プランの提供や旅行に必要な宿泊施設の予約や鉄道の切符の手配のサービスを受けることができる。
【０００３】
【発明が解決しようとする課題】
しかしながら、従来のネットワークを利用した旅行案内サービスは、ユーザが指定した条件（出発地や旅行先や日程など）を満足する旅行モデルプランを、データベースから検索し、ユーザに提示して、その中から所望の旅行モデルプランを選択させる程度のものであった。すなわち、提示した旅行モデルプランをユーザの好みに合わせて修正するといったような、きめ細かいサービスは行っていなかった。
【０００４】
本発明は、上記事情に鑑みてなされたものであり、本発明の目的は、インターネット等のネットワークを利用して、旅行モデルプランをユーザの好みに合わせて作成して、旅行プランサービスセンタに予め登録しておき、実際の旅行中、現地でのきめ細かい旅行案内サービスを行うことを可能とすると共に、現地でのプランの変更を可能にし、かつ、観光等のための経路案内をも行うことを可能にした経路誘導方法及びそのための端末装置を提供することにある。
【０００５】
また、本発明の目的は、端末装置を車内に置いても、手に持って歩いている状態でも、その状態に合わせた経路案内を行うことができる経路誘導方法及びそのための端末装置を提供することにある。
【０００６】
【課題を解決するための手段】
本発明によれば前記目的は、案内用の端末装置とサービスセンタとがネットワークを介して相互に通信可能に接続され、端末装置が予め作成した旅行計画に従って案内を行う経路誘導方法において、前記端末装置は、ユーザからの指示を受け付ける指示受付部と、サービスセンタからの各種のデータを表示装置に表示させる表示処理部とを備え、前記サービスセンタは、前記端末装置を使用するユーザから端末装置を介して送られてくる旅行計画に従って案内すべき経路の探索を行う経路探索部を備え、前記端末装置は、前記旅行計画及び該計画に従って前記サービスセンタの経路探索部に案内すべき経路を探索させ、地図及び探索した経路情報をネットワークを介してサービスセンタからダウンロードし、これらを表示して経路の案内を行うものであり、前記端末装置は、経路の案内を行う際、前記端末装置がスタンドにセットされているか否かにより歩行中の状態における使用か車載状態での使用かを判断し、前記端末装置が手に持たれている歩行中の状態の場合と、車内に設置されている車載状態の場合とにより、案内する地図の範囲を変更し、歩行中の状態と判断した場合、目的地を検索する際に、現在地周辺の地名を選択可能な目的地の候補として検索を行い、車載状態と判断した場合、目的地を検索する際に、全国の地名を選択可能な目的地の候補として検索を行い、一方通行を考慮した経路探索を行うことにより達成される。
【０００７】
また、前記目的は、案内用の端末装置とサービスセンタとがネットワークを介して相互に通信可能に接続され、予め作成さした旅行計画に従って案内を行う経路誘導のための端末装置において、該端末装置は、ユーザからの指示を受け付ける指示受付部と、サービスセンタからの各種のデータを表示装置に表示させる表示処理部とを備え、前記サービスセンタは、前記端末装置を使用するユーザから端末装置を介して送られてくる旅行計画に従って案内すべき経路の探索を行う経路探索部を備え、前記端末装置は、前記旅行計画に従って前記サービスセンタに案内すべき経路を探索させ、地図及び探索した経路情報をネットワークを介してサービスセンタからダウンロードし、これらを表示して経路の案内を行い、かつ、ＧＰＳ機能を有して、前記端末装置の位置と、ダウンロードした地図と経路とにより、経路の案内を行うものであり、前記端末装置は、経路の案内を行う際、前記端末装置がスタンドにセットされているか否かにより歩行中の状態における使用か車載状態での使用かを判断し、前記端末装置が手に持たれている歩行中の状態の場合と、車内に設置されている車載状態の場合とにより、案内する地図の範囲を変更し、歩行中の状態と判断した場合、目的地を検索する際に、現在地周辺の地名を選択可能な目的地の候補として検索を行い、車載状態と判断した場合、目的地を検索する際に、全国の地名を選択可能な目的地の候補として検索を行い、一方通行を考慮した経路探索を行うことにより達成される。
【０００９】
【発明の実施の形態】
以下に、本発明の実施の形態について説明する。
【００１０】
図１は本発明の一実施形態が適用された旅行案内システムの概略図である。
【００１１】
図示するように、本実施形態の旅行案内システムは、ユーザ端末201〜203のユーザに旅行プランを提案したり、当該ユーザに代わって旅行に必要な予約、チケットの手配などを行う旅行プランサービスセンタ10と、鉄道や飛行機などの交通機関のチケットの発行やレンタカーの予約を行う交通機関予約センタ301と、ホテルや旅館などの宿泊施設の予約を行う宿泊施設予約センタ302と、映画館、博物館、遊園地などの施設を利用するためのチケットの発行やレストラン、料亭などの施設を利用するための予約を行う施設利用予約センタ303とが、ネットワーク50を介して互いに接続されて構成されている。図１において、ユーザ端末A201は、据置型のコンピュータであり、宅内に引き込まれた電話回線などを使って旅行プランサービスセンタ10にアクセス可能である。また、ユーザ端末B202やユーザ端末C203は、携帯型や車載型のコンピュータであり、無線基地局40を介して旅行プランサービスセンタ10にアクセス可能である。
【００１２】
図２に旅行プランサービスセンタ10の機能構成を示す。
【００１３】
旅行モデル雛型データベース105には、図６（ａ）に示すように、旅行モデル雛型データ1051が、当該データ1051が満足する諸条件1052〜1057に対応付けられて格納される。図６（ａ）に示す例では、諸条件として、旅行先のエリア1052、日程1053、旅行費用の上下限の金額1054、旅行での移動に使う移動手段1055、ヤングやアダルトやファミリーといった対象ユーザ層を特定するコース1056、および、キーワード1057を用いている。キーワード1057には、たとえば、旅行先でユーザが期待すること（食事、遊び、観光など）を用いる。旅行モデル雛型データ1051は、旅行モデルプラン策定の基礎となるデータであり、図６（ｂ）に示すように、当該データ1051に対応付けられている諸条件1052〜1057を満足するように旅行モデルプランを策定した場合に、必須となるイベントが順番に記述されて構成される。ここで、イベントとしては、公園、遊園地などのレジャー施設の利用や、レストラン、料亭などの飲食施設の利用や、ホテル、旅館などの宿泊施設の利用などが該当する。また、移動手段1055が公共の交通機関つまり自家用車以外の交通機関（電車や飛行機など）である場合は、図６（ｂ）に示すように、旅行先での起点となる駅や空港などもイベントとして記述される。
【００１４】
宿泊施設データベース106には、図７に示すように、ホテル、旅館などの宿泊施設の施設データ1061が、当該データ1061が満足する諸条件1062〜1064に対応付けられて格納される。図７に示す例では、諸条件として、施設の所在エリア1062、施設利用にかかる費用の上下限の金額1063、および、ヤングやアダルトやファミリーといった対象ユーザ層を特定するコース1064を用いている。ここで、施設データ1061には、対象施設の識別データの他、当該施設の詳細を説明するための案内データや、当該施設の利用に予約やチケットの手配が必要か否かを示すデータが含まれる。
【００１５】
施設（飲食・観光）データベース107も、図７に示す宿泊施設データベース106と同様に、公園、遊園地などのレジャー施設やレストラン、料亭などの飲食施設などの各種施設の施設データが、当該データが満足する諸条件（施設の所在エリア、施設利用にかかる費用の上下限の金額、ヤングやアダルトやファミリーといった対象ユーザ層を特定するコース）に対応付けられて格納される。施設データには、対象施設の識別データの他、当該施設の詳細を説明するための案内データや、当該施設の利用に予約やチケットの手配が必要か否かを示すデータが含まれる。
【００１６】
経路（交通機関）データベース108には、電車や飛行機やバスなどの公共交通機関を用いた場合において、推奨経路（路線）を探索するのに必要な経路（路線）データが格納されている。運行時刻データベース111は、電車や飛行機やバスなどの公共交通機関が使う各経路（路線）での運行時刻データが格納されている。経路（道路）データベース109には、自動車（道路）を用いた場合における推奨経路（道路）を探索するのに必要な経路（道路）データが格納されている。
【００１７】
顧客プロファイルデータベース110には、本旅行プランサービスセンタ10を利用するユーザ端末201〜203のユーザ毎に、当該ユーザに提示した旅行モデルプランの策定に利用した諸条件（ユーザプロファイル）が記録される。ユーザプロファイルは、次に、ユーザ端末201〜203のユーザが旅行モデルプランの策定を依頼してきた場合に、必要に応じて利用される。
【００１８】
通信処理部101は、ネットワーク50を介して、ユーザ端末201〜203や各予約センタ301〜303と通信を行う。
【００１９】
制御部104は、通信処理部101を介して、ユーザ端末201〜203からアクセスされると、出発地、出発日、旅行先、日程および移動手段を含む旅行モデルプラン策定のための諸条件と、策定した旅行モデルプランに含まれるイベントの修正と、策定した旅行モデルプランの予約とが、受け付け可能に構成されたメニュー画面のデータを、ユーザ端末201〜203に送信して、当該ユーザ端末201〜203の表示画面に表示させる。
【００２０】
また、制御部104は、通信処理部101を介して、メニュー画面のデータの送信先であるユーザ端末201〜203から、旅行モデルプラン策定のための諸条件を受け取ると、旅行モデル雛型検索部102および経路探索部103を制御して、当該諸条件を満足する旅行モデルプランを少なくとも１つ策定する。具体的には、旅行モデル雛型検索部102を用いて旅行モデル雛型データ1051を少なくとも１つ取り出す。そして、経路探索部103を用いて、この旅行モデル雛型データ1051に含まれる各イベント間の経路と、当該データ1051に含まれる最初および最後のイベントとユーザ端末201〜203から受け取った出発地との間の経路を決定する。最後に、旅行モデル雛型データ1051と決定した各経路の移動推定時間とユーザ端末201〜203から受け取った日程とに基づいて、旅行モデルプランを策定する。この際、移動手段が電車や飛行機やバスなどの公共交通機関に設定されている経路（路線）については、運行時刻データベース111も参考にして旅行モデルプランを策定する。そして、このようにして策定した旅行モデルプランを、通信処理部101を介してユーザ端末201〜203に送信し、ユーザ端末201〜203の表示画面に表示させる。
【００２１】
また、制御部104は、通信処理部101を介して、旅行モデルプランの送信先であるユーザ端末201〜203から、当該プランに含まれるイベントの修正を受け取ると、旅行モデル雛型検索部102および経路探索部103を制御して、修正されたイベントを含むように前記旅行モデルプランを策定し直す。そして、策定し直した旅行モデルプランを、通信処理部101を介してユーザ端末201〜203に送信し、ユーザ端末201〜203の表示画面に表示させる。
【００２２】
さらに、制御部104は、通信処理部101を介して、旅行モデルプランの送信先であるユーザ端末201〜203から、当該プランの予約を受け取ると、当該プランに含まれる各イベントのうち、予約やチケットの手配が必要なイベントについて、予約センタ301〜303に、当該イベントの予約やチケットの発行を依頼する。
【００２３】
旅行モデル雛型検索部102は、制御部104から旅行モデルプラン策定のための諸条件を受け取ると、旅行モデル雛型データベース105から、当該諸条件を満足する旅行モデル雛型データ1051を抽出する。そして、抽出した旅行モデル雛型データ1051を制御部104に渡す。また、抽出した旅行モデル雛型データ1051に含まれる各イベントの代替候補を、宿泊施設データベース106および施設（飲食・観光）データベース107から抽出し、制御部104に渡す。
【００２４】
経路探索部103は、制御部104から旅行モデル雛型データ1051と出発地、出発日、日程および移動手段の条件を受け取ると、経路（交通機関）データベース108および/または経路（道路）データベース109を用い、ダイクストラ法などを利用して、旅行モデル雛型データ1051に含まれる各イベント間の経路探索、および、出発地と旅行モデル雛型データ1051に含まれる最初および最後のイベント各々との間の経路探索を行う。そして、その結果を制御部104に渡す。なお、経路（交通機関）データベース108および経路（道路）データベース109のいずれのデータベースを用いて経路探索を行うかは、制御部104より受け取った移動手段の条件にしたがう。たとえば、制御部104より条件として受け取った移動手段が自家用車である場合は、経路（道路）データベース109を用いて経路（道路）探索を行う。制御部104より条件として受け取った移動手段が公共交通機関である場合は、経路（交通機関）データベース108を用いて経路（路線）探索を行う。また、条件として受け取った移動手段が公共交通機関（但し、移動先での移動はレンタカー）である場合、出発地と旅行モデル雛型データ1051に含まれる最初および最後のイベント各々との間の経路（路線）探索には経路（交通機関）データベース108を用いて行い、旅行モデル雛型データ1051に含まれる各イベント間の経路（道路）探索には経路（道路）データベース109を用いて行う。
【００２５】
次に、図３にユーザ端末201〜203の機能構成を示す。
【００２６】
通信処理部201は、ネットワーク50を介して、旅行プランサービスセンタ10と通信を行う。指示受付部202は入力装置を用いてユーザより指示を受け付ける。制御部204は、通信処理部201を介して旅行プランサービスセンタ10から受け取ったメニュー画面のデータや旅行モデルプランのデータを処理し、表示処理部203を制御して、これらのデータを表示装置に表示させる。また、指示受付部202で受け付けた旅行モデルプラン策定のための諸条件や、旅行モデルプランに含まれるイベントの修正や、旅行モデルプランの予約などに応じた依頼を、通信処理部201を介して、旅行プランサービスセンタ10に送信する。
【００２７】
次に、図４に予約センタ301〜303の機能構成を示す。
【００２８】
通信処理部301は、ネットワーク50を介して、旅行プランサービスセンタ10と通信を行う。予約/発行状況管理データベース303は、管理対象（交通機関や各種施設）の予約状況やチケット発行状況を管理するためのデータが格納される。たとえば、交通機関予約センタ301であれば、電車や飛行機やバスなどの各公共交通機関の指定席の予約状況（空席状況）を管理するためのデータが格納される。宿泊施設予約センタ302であれば、ホテルや旅館などの各宿泊施設の予約状況（空室状況）を管理するためのデータが格納される。施設利用予約センタ303であれば、レストランや料亭などの各飲食施設の予約状況（空席状況）や、遊園地、博物館などのレジャー施設のチケット発行状況（残りチケット数）を管理するためのデータが格納される。予約/発行処理部302は、通信処理部302を介して、旅行プランサービスセンタ10からある施設（あるいは交通機関）の問い合わせを受け取ると、予約/発行状況管理データベース303を用いて、その施設（あるいは交通機関）の空室・空席状況や残りチケット状況を調べ、その結果を旅行プランサービスセンタ10に返答する。また、旅行プランサービスセンタ10からある施設（あるいは交通機関）の予約やチケットの発行の依頼を受け取ると、予約やチケットの発行処理を行い、予約/発行状況管理データベース303を更新する。
【００２９】
なお、上記の各装置10〜30は、図５に示すような、CPU501と、メモリ502と、ハードディスク装置などの外部記憶装置503と、CD-ROMやDVD-ROMなどの可搬性を有する記憶媒体504からデータを読み取る読取装置15と、キーボードやマウスなどの入力装置506と、モニタなどの出力装置507と、ネットワーク50を介して通信を行う通信装置508と、これらの各装置を接続するバス509とを備えた、一般的な構成を有する電子計算機上に構築することができる。なお、このような電子計算機上に上記の各装置10〜30を構築するためのプログラムは、外部記憶装置503から、あるいは、読取装置15を介して記憶媒体504から、メモリ502上にロードするようにしてもよい。もしくは、通信装置508を介してネットワーク50からメモリ502上にロードするようにしてもよい。
【００３０】
次に、上記構成の旅行案内システムの動作について説明する。
【００３１】
まず、旅行モデルプラン決定手順について説明する。ここで、旅行モデルプラン決定手順とは、旅行プランサービスセンタ10が、ユーザ端末201〜203からの依頼に応じて、旅行モデルプランを策定し、ユーザ端末201〜203に提示する場合の動作手順である。
【００３２】
図８に旅行モデルプラン決定手順の動作シーケンスを示す。
【００３３】
まず、旅行プランサービスセンタ10において、制御部104は、通信処理部101を介してユーザ端末201〜203にアクセスされると、出発地、出発日、日程、旅行先および移動手段を含む旅行モデルプラン策定のための諸条件と、策定した旅行モデルプランに含まれるイベントの修正と、策定した旅行モデルプランの予約とが、受け付け可能に構成されたメニュー画面のデータを、ユーザ端末201〜203に送信する（S1001）。
【００３４】
次に、ユーザ端末201〜203において、制御部204は、通信処理部201を介して旅行プランサービスセンタ10からメニュー画面のデータを受け取ると、これを処理し、表示処理部203を制御して、出発地、出発日、日程、旅行先および移動手段を含む旅行モデルプラン策定のための諸条件、策定した旅行モデルプランに含まれるイベントの修正、および、策定した旅行モデルプランの予約が、受け付け可能に構成されたメニュー画面を、表示画面に表示させる（S1002）。
【００３５】
図１１はユーザ端末201〜203の表示画面に表示されるメニュー画面の一例を示す図である。
【００３６】
ここで、符号2037は、その後に旅行プランサービスセンタ10から送られてくる旅行モデルプランを表示するための表示エリアである。この時点では、旅行モデルプランがまだ送られてきていないため、図１１に示す例では、その代わりに、本メニュー画面を用いた操作方法についての簡単な説明を表示している。表示エリア2037の表示内容は、スクロールキー2039を用いて左右にスクロールできる。ユーザは、キーボード、マウスなどの入力装置を用いてカーソル2041を動かし、スクロールキー2039を操作することができる。
【００３７】
符号2031は、旅行モデルプラン策定のための諸条件を選択・入力するための条件設定ボタン群である。ここでは、出発地を入力するための入力ボタンと、出発日を入力するための入力ボタンと、何泊するかなどの日程を選択するための選択ボタンと、旅行先のエリアを選択するための選択ボタンと、観光かビジネスかなどの目的を選択するための選択ボタンと、移動手段に自家用車を用いるか、それとも電車や飛行機やバスなどの公共交通機関を用いるか、そして、公共交通機関を用いる場合には旅行先での移動にレンタカーを使用するか否かを選択するための選択ボタンと、ヤング向けやアダルト向けやファミリー向けといったユーザ層を選択するための選択ボタンと、旅行費用の上下限の金額を選択するための選択ボタンと、旅行人数を選択するための選択ボタンと、キーワードを入力するための入力ボタンと、が設けられている。これらのボタンのうち、出発地を入力するための入力ボタン、出発日を入力するための入力ボタン、および、旅行先のエリアを選択するための選択ボタンは、旅行モデルプラン策定のために条件を設定することが必須となるボタンである。その他のボタンは、オプショナルな取り扱いとなる。なお、各選択ボタンはプルダウンメニュー形式になっており、ユーザは、キーボード、マウスなどの入力装置を用いてカーソル2041を動かし、選択ボタンを選択することで、プルダウンメニューの中から所望の項目を選択できる。また、ユーザは、カーソル2041を動かし、各入力ボタンを選択することで、各入力ボタンのエントリに条件を直接入力できる。
【００３８】
符号2036は、表示エリア2037に表示されている旅行モデルプランのあるイベントを変更、あるいは、旅行モデルプランに新たなイベントを追加するための修正ボタン群である。ここでは、変更・追加候補のイベントとして、宿泊施設を選択するための選択ボタンと、観光・レジャー施設を選択するための選択ボタンと、飲食施設を選択するための選択ボタンと、移動手段を変更するための選択ボタンと、が設けられている。各選択ボタンはプルダウンメニュー形式になっており、ユーザは、キーボード、マウスなどの入力装置を用いてカーソル2041を動かし、選択ボタンを選択することで、プルダウンメニューの中から所望の項目を選択することができる。そして、いわゆるドラッグ・アンド・ドロップ操作により、表示エリア207に表示されている旅行モデルプランの修正対象イベントを、プルダウンメニューから選択した項目のイベントに変更したり、プルダウンメニューから選択した項目のイベントを新たに追加したりすることができる。ただし、修正ボタン群2036を構成する各選択ボタンに、プルダウンメニュー形式で表示される選択項目（変更・追加候補のイベント）は、旅行プランサービスセンタ10より、イベント代替候補として旅行モデルプランとともに送られてくるものであるから、この時点では、まだ、修正ボタン群2036を構成する各選択ボタンを操作することはできない。
【００３９】
符号2042は、その後に旅行プランサービスセンタ10から送られてくる旅行モデルプランに含まれる各イベントや、当該モデルプランとともに送られてくるイベント代替候補の案内データを表示するための表示エリアである。この時点では、旅行モデルプランやイベント代替候補がまだ送られてきていないため、何も表示されていない。表示エリア2042の表示内容は、スクロールキー2040を用いて左右にスクロールできる。ユーザは、キーボード、マウスなどの入力装置を用いてカーソル2041を動かし、スクロールキー2040を操作することができる。
【００４０】
符号2038は、表示エリア2037に表示されている旅行モデルプランに含まれる各イベントの費用の上限金額を変更するためのスライドボタン群である。ここでは、宿泊施設の費用上限を決定するためのスライドボタンと、観光・レジャー施設の費用上限を決定するためのスライドボタンと、飲食施設の費用上限を選択するためのスライドボタンと、移動手段の費用上限を決定するためのスライドボタンと、が設けられている。ユーザは、キーボード、マウスなどの入力装置を用いてカーソル2041を動かし、所望のスライドボタンを操作することで、所望のイベントの費用上限を変更できる。
【００４１】
プロファイルボタン2033は、旅行モデルプラン策定に際し、旅行プランサービスセンタ10の顧客プロファイルデータベース110にユーザに対応付けて記録されている、当該ユーザが旅行プランサービスセンタ10に対して過去に策定を依頼した旅行モデルプランの諸条件（ユーザプロファイル）を利用するか否かを選択するためのボタンである。このボタンが選択されると、条件設定ボタン群2031のうちのオプショナルな取り扱いの各ボタンについて、条件が選択・入力されていないボタンについては、ユーザプロファイルが利用される。
【００４２】
符号2032は旅行モデルプランの策定を依頼するための検索ボタン、符号2034は表示エリア2037に表示されている旅行モデルプランにしたがった旅行を行う上で必要となる予約やチケットの手配を依頼するための予約ボタン、そして、符号2035は、ユーザ端末201〜203の動作を終了させるための終了ボタンである。
【００４３】
図８に戻って説明を続ける。
【００４４】
ユーザ端末201〜203において、指示受付部202は、ユーザがカーソル2041を動かして図１１に示す各ボタンやスクロールキーを選択すると、その旨を制御部204に通知する。これを受けて、制御部204は、指示受付部204から通知された内容にしたがい、表示処理部203や通信処理部201を制御する。
【００４５】
さて、制御部204は、ユーザによって検索ボタン2032が選択されたことを指示受付部24より通知されると、ユーザが条件設定ボタン群2031を用いて出発地、出発日および旅行先のエリアの条件を既に入力・選択したか否かを調べる。入力・選択されていない場合は、これらのボタンに条件を入力・選択するべき旨を表示エリア2037に表示するなどして、ユーザにその旨知らせる。一方、既に、入力・選択されている場合は、ユーザによってユーザプロファイルボタン2034が選択されているか否かをさらに調べ、その結果（ユーザプロファイルの利用の有無）と、ユーザが条件設定ボタン群2031を用いて設定した諸条件とを含む旅行モデルプラン策定依頼を作成する（S1003）。そして、通信処理部201を制御して、旅行モデルプラン策定依頼を旅行プランサービスセンタ10に送信する（S1004）。
【００４６】
次に、旅行プランサービスセンタ10において、制御部104は、通信処理部101を介してユーザ端末201〜203より旅行モデルプラン策定依頼を受け取ると、旅行モデル雛型検索部102を用いて、旅行モデル雛型データベース105から当該依頼に含まれる諸条件を満足する旅行モデル雛型データ1051を検索する（S1005）。
【００４７】
具体的には、まず、制御部104は、当該依頼に含まれる諸条件から、旅行先のエリア1052、日程1053、旅行費用の上下限の金額1054、移動手段1055、コース1056、および、キーワード1057を抽出する。なお、上述したように、旅行先のエリア1052は、旅行モデルプラン策定のための必須の条件であるので、旅行モデルプラン策定依頼に必ず含まれる。しかし、日程1053、旅行費用の上下限の金額1054、移動手段1055、コース1056、および、キーワード1056は、オプショナルな取り扱いとなるので、旅行モデルプラン策定依頼に含まれない場合もある。この場合、当該依頼にユーザプロファイルの利用が設定されていれば、当該依頼に含まれていないオプショナルな取り扱いの条件について、顧客プロファイルデータベース110に格納されている依頼送信元ユーザ端末201〜203のユーザプロファイルを調べ、過去に当該条件として設定された回数が最も多い項目を用いる。当該依頼にユーザプロファイルの利用が設定されていなければ、当該依頼に含まれていないオプショナルな取り扱いの条件を条件設定なしとする。
【００４８】
次に、制御部104は、旅行モデル雛型検索部102を用いて、旅行モデルプラン策定依頼から抽出した諸条件および必要に応じてユーザプロファイルから抽出した諸条件を満足する旅行モデル雛型データ1051を、旅行モデル雛型データベース105から抽出する。それから、抽出した旅行モデル雛型データ1051に含まれる各イベントについて、宿泊施設に関するものは宿泊施設データベース106を用いて、観光施設やレジャー施設や飲食施設などに関するものは施設（飲食・観光）データベース107を用いて、予約あるいはチケットの手配が必要か否かを調べ、必要ならば、宿泊施設については宿泊施設予約センタ302に対して、また、観光施設やレジャー施設や飲食施設などについては施設利用予約センタ303に対して、予約あるいはチケットの入手が可能であるか否か、つまり、空きがあるか否かを、通信処理101を介して問い合わせる（S1006）。
【００４９】
その結果、空きがある場合は、旅行モデル雛型データベース105から抽出した旅行モデル雛型データ1051を、旅行モデルプラン策定のための旅行モデル雛型データに決定する。一方、空きがない場合、宿泊施設については宿泊施設データベース106を用いて、また、観光施設やレジャー施設や飲食施設などについては施設（飲食・観光）データベース107を用いて、このイベントの代替候補を１つ抽出する。具体的には、旅行モデルプラン策定依頼から抽出した諸条件および必要に応じてユーザプロファイルから抽出した諸条件のなかから、データベース106、107において各施設データの管理に用いている条件（図７に示す例では旅行先のエリア1062、費用の上下限額1063およびコース1064）をさらに抽出し、これらの条件を満足する施設データをデータベース106、107から１つ抽出する。そして、抽出した施設データにより特定される施設について、上記と同じ要領で空きがあるか否かの問い合わせを行う。この手順を、空きがあるイベントの代替候補が見つかるまで繰り替えす。そして、旅行モデル雛型データ1051の空きがないとされたイベントをこのイベントの代替候補で置き替えた旅行モデル雛型データを作成し、これを旅行モデルプラン策定のための旅行モデル雛型データに決定する。
【００５０】
次に、制御部104は、旅行モデルプラン策定のための旅行モデル雛型データが決定されたならば、経路探索部103を用いて、ダイクストラ法などを利用して、この旅行モデル雛型データベースの各イベント間の経路と、出発地とこの旅行モデル雛型データベースの最初および最後のイベント各々との間の経路を決定し、旅行モデルプランを策定する（S1008）。
【００５１】
具体的には、まず、制御部104は、旅行モデルプラン策定依頼に含まれる諸条件から出発地および出発日を抽出する。なお、上述したように、出発地と出発日は、旅行モデルプラン策定のための必須の条件であるので、旅行モデルプラン策定依頼に必ず含まれる。また、制御部104は、旅行モデルプラン策定のための旅行モデル雛型データに対応付けられている金額1054、移動手段1055およびコース1056の条件を、旅行モデル雛型データベース105から抽出する。
【００５２】
次に、制御部104は、金額1054およびコース1056の条件に応じて、費用を優先するかあるいは移動時間を優先するかなどの優先度を決める。そして、経路探索部103に、前記決定した優先度にしたがって、出発地と旅行モデル雛型データに含まれる最初のイベントとの間の推奨経路を探索させる。これにより、出発地と旅行モデル雛型データに含まれる最初のイベントとの間の経路を決定する。
【００５３】
ここで、旅行モデル雛型データに対応付けられている移動手段1055が自家用車であれば、経路探索部103に、経路（道路）データベース109を用いて、出発地および前記最初のイベント間の推奨経路（道路）を探索させる。
【００５４】
一方、前記移動手段1055が公共交通機関であれば、経路探索部103に、経路（交通機関）データベース108を用いて、出発地および前記最初のイベント間の推奨経路（路線）を探索させる。そして、その結果得られた推奨経路上を運行する便の運行時刻を運行時刻データベース111を用いて調べ、その便を利用するのに指定席の予約が必要であれば、指定席の空き状況を、通信処理部101を介して交通機関予約センタ301に問い合わせる（S1006）。指定席の空きがあれば、この便を用いた推奨経路を、出発地および前記最初のイベント間の経路に決定する。空きがなければ、この便を検索対象から除いて、指定席に空きのある便が運行される経路を検索する。
【００５５】
次に、制御部104は、上記と同じ要領で、経路探索部103に、旅行モデル雛型データに含まれる各イベント間の推奨経路を順番に探索させ、前記各イベント間の経路を決定する。ただし、旅行モデル雛型データに対応付けられている移動手段1055が公共交通機関（但し、移動先での移動はレンタカー使用）である場合、前記移動手段1055が自家用車の場合と同じ要領で経路の決定を行う。
【００５６】
次いで、制御部104は、出発地と旅行モデル雛型データに含まれる最初のイベントとの間の経路の決定と同じ要領で、経路探索部103に、出発地と旅行モデル雛型データに含まれる最後のイベントとの間の推奨経路を探索させ、出発地と旅行モデル雛型データに含まれる最後のイベントとの間の経路を決定する。
【００５７】
さて、制御部104は、上記のようにして、旅行モデル雛型データの各イベント間の経路と、出発地と前記旅行モデル雛型データの最初および最後のイベント各々との間の経路が決定されたならば、旅行モデルプラン策定依頼に含まれる出発日および日程の条件と、各経路の推定移動時間（公共交通機関の経路で運行時刻が定められているものはその時刻）とを考慮し、各イベントの開始・終了の時間調整などを行って、旅行モデル雛型データに含まれる各イベントを含む旅行モデルプランを策定する。なお、旅行モデルプランに含まれる各イベント（旅行モデル雛型データに含まれる各イベント間や出発地と旅行モデル雛型データに含まれる最初および最後のイベント各々との間の移動もイベントとする）には、その開始・終了時刻と、それにかかる費用と、そのイベントで利用する施設の施設データや交通機関の識別データが含まれるものとする。
【００５８】
次に、制御部104は、旅行モデルプランが作成されたならば、旅行モデル雛型検索部102を用いて、旅行モデルプラン策定依頼から抽出した諸条件および必要に応じてユーザプロファイルから抽出した諸条件のなかから、データベース106、107において各施設データの管理に用いている条件をさらに抽出し、これらの条件を満足する施設データをデータベース106、107から抽出する。抽出した施設データにより特定される各施設のうち予約などが必要なものは、その空き状態を予約センタ302、303に確認する。そして、抽出した施設データにより特定される各施設のうち、利用可能な施設（予約などに空きがある施設や、予約などが必要のない施設）を、旅行モデルプランに含まれるイベントのイベント代替候補に決定し、宿泊施設、観光・レジャー施設および飲食施設のカテゴリ毎に分類されたイベント代替候補群データを作成する。
【００５９】
それから、制御部104は、通信処理部101を介して、策定した旅行モデルプランおよびイベント代替候補群データを、旅行モデルプラン策定依頼を送信したユーザ端末201〜203に送信する（S1009）。
【００６０】
ユーザ端末201〜203において、制御部204は、通信処理部201を介して旅行プランサービスセンタ10から旅行モデルプランとイベント代替候補群データを受け取ると、表示処理部203を制御し、メニュー画面の表示エリア2037に旅行モデルプランを表示するとともに、表示エリア2042に、イベント代替候補群データに含まれる各イベント代替候補の施設データを、所定のカテゴリ順（たとえば、観光・レジャー施設、飲食施設、宿泊施設の順）に表示する。また、修正ボタン群2036の宿泊施設、観光施設および飲食施設の選択ボタンをイベント代替候補群データの宿泊施設、観光・レジャー施設および飲食施設のカテゴリに対応させ、これらの選択ボタンのプルダウンメニューに表示される項目を、対応するカテゴリに含まれるイベント代替候補とする。なお、修正ボタン群2036のうち、移動手段の選択ボタンのプルダウンメニューに表示される項目は、予め電車、タクシー、レンタカーといった大まかな交通機関の分類としておく。
【００６１】
図１２は、図１１に示すメニュー画面の表示エリア2037に旅行モデルプランが表示され、表示エリア2042に、表示エリア2037に表示中の旅行モデルプランのイベント代替候補群データに含まれる各イベント代替候補の施設データが表示された場合の画面例を示している。
【００６２】
ここでは、表示エリア2037の前段2044に、旅行モデルプランに含まれる各イベントの名称および開始・終了時刻を表示し、表示エリア2037の中段2045に、前段2044で表示されている対応するイベントの注釈を表示し、表示エリア2037の後段2046に、前段2044および中段2045で表示されている対応するイベントの費用を表示している。ここで、中段2045に表示される注釈は、イベントが移動であれば、使用する経路に関する情報（路線名や便名や道路名）とし、各種施設であれば、旅行プランサービスセンタ10のデータベース106、107において当該施設の施設データに対応付けられているキーワードとしている。これらのデータは、旅行モデルプランに含まれる各イベントの識別データに含まれるようにしている。また、メニュー画面の表示エリア2043には、表示エリア2037に表示中の旅行モデルプランのトータル費用金額とトータル移動時間を表示している。
【００６３】
なお、旅行プランサービスセンタ10から送られてきた旅行モデルプランが複数ある場合、図１２に示すように、ユーザがカーソル2041を用いてタグ2047を選択することで、表示エリア2037に表示すべき旅行モデルプランを選べるようにしてもよい。
【００６４】
以上、旅行モデルプラン決定手順について説明した。
【００６５】
次に、旅行モデルプラン変更手順について説明する。ここで、旅行モデルプラン変更手順とは、旅行プランサービスセンタ10が、ユーザ端末201〜203からの依頼に応じて、ユーザ端末201〜203に提示した旅行モデルプランを策定し直し、ユーザ端末201〜203に再提示する場合の動作手順である。メニュー画面の修正ボタン群2036を用いたドラッグ・アンド・ドロップ操作による場合と、メニュー画面のスライドボタン群2038を用いる場合とがある。
【００６６】
まず、メニュー画面の修正ボタン群2036を用いたドラッグ・アンド・ドロップ操作による場合における旅行モデルプラン変更手順について説明する。
【００６７】
図９に、メニュー画面の修正ボタン群2036を用いたドラッグ・アンド・ドロップ操作による場合における旅行モデルプラン変更手順の動作シーケンスを示す。
【００６８】
まず、ユーザ端末201〜203において、指示受付部202は、ユーザの修正ボタン群2036を用いたドラッグ・アンド・ドロップ操作により、メニュー画面の表示エリア2037に表示中の旅行モデルプランに変更が加えられたことを検知すると、その変更内容を制御部204に知らせる。これを受けて、制御部204は、表示エリア2037に表示中の旅行モデルプランとそのプランの変更部分を含んだ旅行モデルプラン変更依頼を作成し（S2001）、通信処理部201を制御して、旅行プランサービスセンタ10に送信する（S2002）。
【００６９】
次に、旅行プランサービスセンタ10において、制御部104は、通信処理部101を介してユーザ端末201〜203より旅行モデルプラン変更依頼を受け取ると、当該依頼に含まれる旅行モデルプランの各イベントから、一旦、移動に関するイベントを取り去り、旅行モデル雛型データを抽出する。そして、抽出した雛型データに、変更あるいは追加されたイベント（移動に関するイベントも含む）を加え、旅行モデル雛型データを再構築する。
【００７０】
それから、この再構築した旅行モデル雛型データと、旅行モデルプラン変更依頼に含まれる旅行モデルプランが示す出発地、出発日、日程および移動手段を用いて、先に説明した図８のS1008と同じ要領で、旅行モデルプランを再び策定する（S2003）。
【００７１】
ただし、再構築された旅行モデル雛型データにイベントとして移動が含まれる場合（つまり、変更あるいは追加されたイベントが移動の場合）は、そのイベントについての経路決定は、そのイベントが示す移動手段にしたがう。たとえば、そのイベントが示す移動手段がタクシー・レンタカーの場合は、経路（道路）データベース109を用いて経路（道路）の決定を行い、電車等の場合は、経路（交通機関）データベース108を用いて電車等を用いた経路（路線）の決定を行う。
【００７２】
そして、制御部104は、このようにして再策定した旅行モデルプランを、通信処理部101を介して、旅行モデルプラン変更依頼を送信したユーザ端末201〜203に送信する（S2004）。
【００７３】
ユーザ端末201〜203において、制御部204は、通信処理部201を介して旅行プランサービスセンタ10から再策定された旅行モデルプランを受け取ると、表示処理部203を制御し、メニュー画面の表示エリア2037に表示する（S2005）。
【００７４】
図１３〜図１８は、図１２に示すメニュー画面の表示エリア2037に表示中の旅行モデルプランを、修正ボタン群2036を用いて変更した場合における画面の変化を説明するための図である。
【００７５】
図１３では、ユーザがカーソル2041を用いて観光・レジャー施設の選択ボタンを選択してプルダウンメニューを開き、その中から項目「平城京跡」を選び、これを表示エリア2037に表示中の旅行モデルプランのイベント「法隆寺」上にドラッグ・アンド・ドロップした場合を示している。この場合、旅行プランサービスセンタ10により再策定された旅行モデルプランは、図１４に示すようになる。
【００７６】
図１４に示す例では、イベント「法隆寺」がイベント「平城京跡」に変更されたことに伴い、その前後のイベントが修正されて、時間調整されている。
【００７７】
図１５では、ユーザがカーソル2041を用いて移動手段の選択ボタンを選択してプルダウンメニューを開き、その中から項目「レンタカー」を選び、これを表示エリア2037に表示中の旅行モデルプランのイベント「バス」上にドラッグ・アンド・ドロップした場合を示している。この場合、旅行プランサービスセンタ10により再策定された旅行モデルプランは、図１６に示すようになる。
【００７８】
図１７では、ユーザがカーソル2041を用いて観光・レジャー施設の選択ボタンを選択してプルダウンメニューを開き、その中から項目「平城京跡」を選び、これを表示エリア2037に表示中の旅行モデルプランのイベント「電車」とイベント「法隆寺」との間にドラッグ・アンド・ドロップした場合を示している。この場合、旅行プランサービスセンタ10により再策定された旅行モデルプランは、図１８に示すようになる。図１８に示す例では、イベント「平城京跡」が追加されたことに伴い、旅行モデルプラン全体の各イベントが時間調整されている。
【００７９】
次に、メニュー画面のスライドボタン群2038を用いる場合における旅行モデルプラン変更手順について説明する。
【００８０】
なお、メニュー画面のスライドボタン群2038を用いる場合における旅行モデルプラン変更手順の動作シーケンスは、図９に示すメニュー画面の修正ボタン群2036を用いたドラッグ・アンド・ドロップ操作による場合のものと同様である。
【００８１】
そこで、ここでは図９を用いて説明する。
【００８２】
まず、ユーザ端末201〜203において、指示受付部202は、ユーザがスライドボタン群2038を用いて上限金額の設定操作を行ったことを検知すると、その設定操作が行われたカテゴリ（図１２では宿泊、観光、飲食および移動の４つのカテゴリ）と設定された上限金額を制御部204に知らせる。これを受けて、制御部204は、表示エリア2037に表示中の旅行モデルプランと、上限金額が変更されたカテゴリと、当該モデルプランに含まれる各イベントのうち上限金額が変更されたカテゴリに属するイベントのイベント代替候補と、を含んだ旅行モデルプラン変更依頼を作成し（S2001）、通信処理部201を制御して、旅行プランサービスセンタ10に送信する（S2002）。
【００８３】
次に、旅行プランサービスセンタ10において、制御部104は、通信処理部101を介してユーザ端末201〜203より旅行モデルプラン変更依頼を受け取ると、当該依頼に含まれる旅行モデルプランの各イベントのうち上限金額が変更されたカテゴリに属するイベントの総費用が当該上限金額に収まるように、当該イベントを修正し、旅行モデルプランを策定し直す（S2003）。
【００８４】
具体的には、上限金額が変更されたカテゴリが移動以外である場合、以下のようにして行う。すなわち、旅行モデルプランから、一旦、移動に関するイベントを取り去り、旅行モデル雛型データを抽出する。次に、抽出した旅行モデル雛型データに含まれる、上限金額が変更されたカテゴリに属するイベントを、その総費用が前記上限金額に納まるイベント代替候補に置きかえる。このようなイベント代替候補の検索は、イベント代替候補の施設データに条件として対応付けられている金額を、データベース106、107を用いて調べることで行うことができる。これにより、旅行モデル雛型データを再構築する。それから、この再構築した旅行モデル雛型データと、旅行モデルプラン変更依頼に含まれる旅行モデルプランが示す出発地、出発日、日程および移動手段を用いて、先に説明した図８のS1008と同じ要領で、旅行モデルプランを再び策定する。
【００８５】
一方、上限金額が変更されたカテゴリが移動である場合、以下のようにして行う。すなわち、旅行モデルプランから、一旦、移動に関するイベントを取り去り、旅行モデル雛型データを抽出する。次に、抽出した旅行モデル雛型データと、旅行モデルプラン変更依頼に含まれる旅行モデルプランが示す出発地、出発日、日程および移動手段を用いて、先に説明した図８のS1008と同じ要領で、移動に関するイベントの総費用が前記上限金額に納まるように、旅行モデルプランを再び策定する。
【００８６】
そして、制御部104は、このようにして再策定した旅行モデルプランを、通信処理部101を介して、旅行モデルプラン変更依頼を送信したユーザ端末201〜203に送信する（S2004）。
【００８７】
ユーザ端末201〜203において、制御部204は、通信処理部201を介して旅行プランサービスセンタ10から再策定された旅行モデルプランを受け取ると、表示処理部203を制御し、メニュー画面の表示エリア2037に表示する（S2005）。
【００８８】
以上、旅行モデルプラン変更手順について説明した。
【００８９】
次に、旅行モデルプラン予約手順について説明する。ここで、旅行モデルプラン予約手順とは、旅行プランサービスセンタ10が、ユーザ端末201〜203からの依頼に応じて、ユーザ端末201〜203に提示した旅行モデルプランの実行に必要な予約やチケットの手配を、当該ユーザ端末201〜203のユーザに代わって行う動作手順である。
【００９０】
図１０に、旅行モデルプラン予約手順の動作シーケンスを示す。
【００９１】
まず、ユーザ端末201〜203において、指示受付部202は、予約ボタン2034が選択されたことを検知すると、その旨を制御部204に知らせる。これを受けて、制御部204は、表示エリア2037に表示中の旅行モデルプランの予約依頼を作成し（S3001）、通信処理部201を制御して、旅行プランサービスセンタ10に送信する（S3002）。
【００９２】
次に、旅行プランサービスセンタ10において、制御部104は、通信処理部101を介してユーザ端末201〜203より旅行モデルプラン予約依頼を受け取ると、当該依頼に含まれる旅行モデルプランの各イベントのうち、予約あるいはチケットの手配が必要なものについて、予約センタ301〜303に予約を依頼する（S3003）。これを受けて、予約センタ301〜303は、予約やチケットの手配を行い、予約/発行状況管理データベースを更新する（S3004）。
【００９３】
また、旅行プランサービスセンタ10において、制御部104は、予約依頼された旅行モデルプランを策定するのに用いた諸条件を、顧客プロファイルデータベース110に、当該旅行モデルプランのユーザに対応付けて記録する。また、ユーザ端末201〜203のユーザが、旅行プランサービスセンタ10にアクセスして、予約依頼した旅行モデルプランを閲覧できるように、顧客プロファイルデータベース110に登録しておく（S3005）。このようにすれば、たとえば、ユーザは、自宅に設置されたユーザ端末201を用いて、旅行モデルプランの策定および予約の依頼を行い、旅行先で、携帯用のユーザ端末202や車載用のユーザ端末203を用いて、自身が予約した旅行モデルプランをダウンロードし、閲覧することが可能となる。また、予約した旅行モデルプランの各イベントの地図上の位置（イベントが施設ならばその所在地、移動ならばその移動に用いる経路）を特定可能な地図データを作成し、これを旅行モデルプランとともに登録するようにしておけば、携帯用のユーザ端末202や車載用のユーザ端末203がナビゲーション機能を備えている場合、この地図データを経路誘導に用いることも可能である。
【００９４】
以上、本発明の一実施形態について説明した。
【００９５】
本実施形態によれば、ネットワークを利用して、ユーザに提示した旅行モデルプランを、ユーザの好みに合わせて修正するといったような、きめ細かい旅行案内サービスを行うことができる。
【００９６】
なお、本発明は、上記の実施形態に限定されるものではなく、その要旨の範囲内で様々な変形が可能である。
【００９７】
たとえば、上記の実施形態では、旅行プランサービスセンタ10は、ユーザ端末201〜203から旅行モデルプラン策定依頼を受け取ると、予約やチケットの手配が必要なものについて、予約センタ301〜303に空き状況を確認してから、旅行モデルプランおよび当該プランに含まれる各イベントのイベント代替候補を決定するようにしている。しかしながら、たとえば、定期的に各予約センタ301〜303に対して空き状況の確認を行い、旅行プランサービスセンタ10の各データベースに、その内容が反映されるようにしてもよい。このようにすれば、ユーザ端末201〜203から旅行モデルプラン策定依頼を受け取った場合に、より速やかに旅行モデルプランおよび当該プランに含まれる各イベントのイベント代替候補を決定することが可能となる。
【００９８】
また、上記の実施形態では、旅行モデルプランの策定について、まず、旅行モデル雛型データを決定してから、前記雛型データに含まれる各イベント間の経路、および、出発地と前記雛型データに含まれる最初および最後のイベント各々との間の経路を決定するようにしている。ここで、旅行モデル雛型データの決定に先だって、出発地から旅行先までの移動にかかる費用を概算で見積もり、ユーザが旅行モデルプラン策定のための条件として設定した旅行費用の上下限の金額、あるいは、ユーザプロファイルから抽出した旅行費用の上下限の金額から、この見積もり額を引いた金額を、旅行モデル雛型データを検索するための条件（金額1054、図６参照）として用いるようにしてもよい。このようにすれば、策定した旅行モデルプランの総費用額を、ユーザが旅行モデルプラン策定のための条件として設定した旅行費用の上下限の金額、あるいは、ユーザプロファイルから抽出した旅行費用の上下限の金額に、より近づけることが可能となる。
【００９９】
さらに、上記の実施形態において、旅行モデル雛型データに含まれる各イベント間の経路や、出発地と旅行モデル雛型データに含まれる最初と最後のイベント各々との間の経路の決定には、既存の検索エンジンを利用するようにしてもよい。
くわえて、上記の実施形態において、ユーザ端末201〜203の表示画面に表示されるメニュー画面は、図１１、図１２に示すものに限定されない。たとえば、携帯電話機のような、表示画面の小さいにものについては、図１９〜図２１に示すように、メニュー画面を構成する各エリアを複数のページに分けて、表示させるようにしてもよい。図１９は、旅行モデルプラン策定のための諸条件を入力して、旅行プランサービスセンタ10に旅行モデルプランを策定してもらう場合の画面例を示している。図２０は、策定された旅行モデルプランの変更箇所を入力して、旅行プランサービスセンタ10に旅行モデルプランを策定し直してもらう場合の画面例を示している。そして、図２１は、策定された旅行モデルプランの費用上限をカテゴリ毎に変更して、旅行プランサービスセンタ10に旅行モデルプランを策定し直してもらう場合の画面例を示している。なお、図１９〜図２１に示す各ページ中に表示される項目の選択・入力や各ページの切り換えは、携帯電話機のダイヤルボタン、モード切り換えボタン、ページめくりボタン、スクロールボタンなどを用いて行うようにすればよい。
【０１００】
次に、前述した旅行プランの提供方法に従って作成された旅行プランにより、旅行中、あるいは、旅行先での経路の案内を行うことを可能にした経路誘導方法及びそれに使用する端末装置の一実施形態について説明する。
【０１０１】
図２２は経路の誘導を受ける場合の概念を説明するシステム構成を示す図、図２３は経路誘導用の端末装置の外観を説明する図、図２４は経路誘導用の端末装置を車内に設置した状態を説明する図、図２５は経路誘導用の端末装置の表示部に表示される画面例を説明する図である。図２２〜図２４において、２２１は自動車、２２２は歩行者、２３１は経路誘導用の端末装置（以下、ナビ装置という）、２３２はＧＰＳのアンテナ、２３３は表示部、２３４は制御用キー群、２３５は電源コネクタ、２３６はイヤホン、２３７はスタンド、２３８はスイッチである。
【０１０２】
以下に説明する本発明の実施形態による経路の誘導は、図２２に示すシステム構成図からも判るように、車載用として利用可能で、かつ、人が持ち歩くことも可能なナビ装置２３１により行われる。ナビ装置２３１は、それ自体で通信機能を有し、あるいは、携帯電話機と連携させてその通信機能を利用して、インターネット等のネットワーク５０を介して旅行プランを提供したサービスセンタ１０と接続可能であり、センターに登録済みの旅行プランを取り込み、また、旅行プランに従った経路を示す地図情報を取り込んで表示することができる。また、ナビ装置２３１は、自動車等に設置されて車載装置として使用される場合、図示しないリモコンを使用して操作することが可能であり、また、後述するように、車内に設置されるＣＤ、ＤＶＤ等のロムに格納されている地図情報を取り込んで表示することができる。
【０１０３】
ナビ装置２３１は、図２３に示すように、ＧＰＳアンテナ２３２と、タッチパネルが設けられる表示部２３３と、制御用キー群２３４とを備えて構成され、また、車載用として使用する場合のためのスタンド２３７が用意されている。そして、ナビ装置２３１は、ＧＰＳアンテナ２３２により受信した衛星からの信号を処理して自装置の位置を決定して表示されている地図の上に表示する機能を有している。また、ナビ装置２３１は、人が持ち歩いて使用する（歩行中モード）場合に、サービスセンタ１０から届けられる観光案内等を周囲に迷惑にならないように聴取するためのイヤホン２３６が接続可能であり、また、車載用に使用する場合に、内部に備えられるバッテリーの充電を行い、かつ、装置の駆動電力を車のシガーソケットから供給する電源コネクタが接続可能である。また、ナビ装置２３１の底面とスタンド２３７とには、ナビ装置２３１がスタンドにセットされたときに、ナビ装置２３１が車載用として使用されることをナビ装置２３１、車側に設置されている図示しない関連機器に認識させるためのスイッチ２３８が備えられている。
【０１０４】
ナビ装置２３１は、前述のスタンド２３７の上面に設けられる窪みの中にセットすることができ、スタンド２３７にセットされていない状態で歩行中モードとして動作し、図２４に示すように、スタンド２３７を車のダッシュボード上に固定して取り付け、このスタンド２３７にセットすることにより、自動的に車載用のモードとして動作するようになる。この車載モードで動作するとき、車側に設置されている図示しないＣＤ、ＤＶＤ等の地図情報を格納したロムドライブの関連機器との間の情報の授受は、ブルートゥースと呼ばれる至近距離高速無線技術を用いて行うことができる。
【０１０５】
なお、前述では、ナビ装置２３１の動作モード、すなわち、歩行中モードと車載モードとの切り替えをナビ装置２３１の底面とスタンド２３７とに設けられるスイッチにより自動的に行うとして説明したが、このモードの切り替えは他の手段により行うようにしてもよい。例えば、ナビ装置２３１に切り替え用のボタン（表示されるソフトボタンも含む）を設けて利用者が操作するようにしてもよい。これにより、助手席等にいる利用者が車の中で、あるいは、車外でナビ装置２３１を手に持った状態で、車載モードとして動作させることができる。また、車内で歩行中モードとして動作させることもでき、例えば、渋滞中等の場合に、後述するように付近の詳細を表示させることができる。また、自動的な切り替えも、スイッチによらずに、例えば、車載機器からの制御等により行うようにすることもできる。
【０１０６】
ナビ装置２３１が歩行中モードで動作している場合と、車載モードで動作している場合の表示部２３３への画面表示例を図２５に示している。ナビ装置２３１は、歩行中モードで動作している場合、表示部２３３に、図２５（ａ）に示すように、ナビ装置２３１を持つ歩行者がいる位置の周辺の施設名等を含む詳細な地図を表示する。この場合の地図情報は、サービスセンタ１０から受信することができ、あるいは、サービスセンタ１０から自装置内に設けられているフラッシュカード等のメモリに予めダウンロードしたものであってもよい。また、ナビ装置２３１は、車載モードで動作している場合、表示部２３３に、図２５（ｂ）に示すように、車が走行可能な道路を主として広い範囲の地図を表示する。この場合の地図情報は、車側に設置されている図示しないＣＤ、ＤＶＤ等から読み出したものであってよく、表示される地図の上に、自車の位置（図の例では△マーク）が表示される。
【０１０７】
次に、ナビ装置２３１が車載モードとなっているか歩行中モードになっているかにより、各種の情報を選択する処理の例について説明する。
【０１０８】
図２６は情報の取り出し先を選択する処理を説明するフローチャート、図２７は取り出し先の選択を行うメニュー画面の例を説明する図、図２８は取り出された情報が地図情報である場合の表示内容の選択を行う処理を説明するフローチャートである。まず、図２６に示すフローから説明する。
【０１０９】
（１）情報の取り出しが指示されると、ナビ装置は、自装置が車内にあるか否かを検出し、車内にある場合、車内用選択画面を表示部に表示し、車外にある場合、歩行者用選択画面を表示部に表示する。車内用選択画面は、図２７（ａ）に示すように、インターネット等のネットワークを介してサービスセンタから情報を受ける「インターネット」、車内にあるＣＤ、ＤＶＤ等から情報を取り出す「ＣＤ／ＤＶＤ」、ナビ自装置内のフラッシュカード等のメモリカードから情報を取り出す「フラッシュカード」のメニューを表示した画面である。また、車内用選択画面は、図２７（ｂ）に示すように、車内にあるＣＤ、ＤＶＤ等から情報を取り出す「ＣＤ／ＤＶＤ」が選択不可として表示したメニューの画面である（ステップＳ２６０１〜Ｓ２６０３）。
【０１１０】
（２）利用者は、図２７（ａ）、図２７（ｂ）に示す表示画面内のメニューの１つを選択する。この選択は、車内であれば、図示しないリモコンを用いて行うことができ、あるいは、表示画面に表示されているメニューを手で触れることにより行うことができる。また、車外であれば、表示画面に表示されているメニューを手で触れることにより行うことができる（ステップＳ２６０４、Ｓ２６０５）。
【０１１１】
（３）ステップＳ２６０４で、車内用選択画面のメニューから「ＣＤ／ＤＶＤ」が選択されると、ナビ装置は、車内にあるＣＤ、ＤＶＤ等のロムから情報の検索を行い、その検索の結果を表示部に表示する（ステップＳ２６０６、Ｓ２６０９）。
【０１１２】
（４）ステップＳ２６０４またはステップＳ２６０５で、車内用選択画面または歩行者用選択画面のメニューから「インターネット」が選択されると、ナビ装置は、ネットワークへの接続を行い、サービスセンタ内の情報の検索を行ってその検索結果を表示部に表示する（ステップＳ２６０７、Ｓ２６０９）。
【０１１３】
（５）同様に、ステップＳ２６０４またはステップＳ２６０５で、車内用選択画面または歩行者用選択画面のメニューから「フラッシュカード」が選択されると、ナビ装置は、ナビ装置の内蔵メモリから情報の検索を行い、その検索の結果を表示部に表示する（ステップＳ２６０８、Ｓ２６０９）。
【０１１４】
前述した処理において、検索された情報が地図情報である場合、ナビ装置は、図２８に示すフローに従って、表示する地図の内容を、自装置が車内にあるか否かによって選択して表示する。以下、これについて説明する。なお、ここで表示される地図情報は、ＧＰＳ機能により検出されているナビ装置の位置の周辺の地図情報であるとする。
【０１１５】
（１）まず、ナビ装置は、自装置が車内にあるか否かを検出し、車内にある場合、道路地図を表示すると共に、検索できた一方通行等の表示を行う。この場合、地図情報が車内にあるＣＤ、ＤＶＤ等のロムから、あるいは、自装置内の内蔵メモリから取り出されたものであると、それらの記憶媒体内に予め格納された情報しか表示することができないが、地図情報がネットワークを介してサービスセンタから取り出されたものであると、センタ側装置が持つ詳細で最新の情報を表示することができる。この場合の詳細情報としては、ガソリンスタンド、駐車場、工事・事故、駐車場付きの施設、凍結・破損等の道路状況、渋滞等の情報である。なお、詳細情報を示していないが、ここで表示される地図情報は、図２５（ｂ）により説明したようなものであり、地図の表示範囲は、利用者が任意に設定することができる（ステップＳ２８０１〜Ｓ２８０３）。
【０１１６】
（２）ステップ２８０１で、ナビ装置は、自装置が車外にあると判定すると、自装置の位置の周辺の詳細な住宅地図を表示し、地図内に含まれる店舗について、それらの店舗名文字列を表示する。この場合にも、地図情報がネットワークを介してサービスセンタから取り出されたものであると、センタ側装置が持つ詳細で最新の情報を表示することができる。また、これらの地図情報の中には、買い物情報、公共交通機関の情報も表示することができる。なお、ここで表示される地図情報は、図２５（ａ）により説明したようなものである（ステップＳ２８０４、Ｓ２８０５）。
【０１１７】
図２９はＧＰＳ信号を受信することができず、ナビ装置の位置が正確に判らない場合の処理を説明する図である。前述では、ＧＰＳ機能によりナビ装置の位置が検出されており、その位置の周辺の地図情報を表示するとして説明したが、次に、ＧＰＳ信号を受信することができず、ナビ装置の位置が正確に判らない場合の処理につて図２９を参照して説明する。
【０１１８】
（１）ナビ装置は、ＧＰＳ信号を受信することができ、自装置の現在位置が判るか否かをチェックする。現在位値が判っていれば、図２８により説明したフローに従って地図情報を表示する（ステップＳ２９０１）。
【０１１９】
（２）ステップＳ２９０１で、ＧＰＳ信号を受信することができなくなり、自装置の現在位置が判らなくなった場合、ナビ装置は、自装置が車内にあるか否かを検出し、車外にある場合、これまで表示されていた地図を表示し続け、また、経路誘導を受けていた場合、その経路をも表示する。そして、表示されている画面例えば、図２５（ａ）に示す地図情報画面の中の見やすい位置に、「現在、ＧＰＳ受信を行うことができません」等の表示を行う（ステップＳ２９０２、Ｓ２９０３、Ｓ２９０６）。
【０１２０】
（３）ステップＳ２９０２で、ナビ装置が車内にあると判定された場合、車載の関連機器、この場合、車速度センサからの速度情報を受けて現在地を算出し、表示されている地図上に現在地を表示し、過去の経路を表示する（ステップＳ２９０４〜Ｓ２９０６）。
【０１２１】
図３０は目的地を入力させて目的地の地名を確定する処理動作を説明するフローチャート、図３１は目的地の名称入力のためのソフトキーの例について説明する図、図３２は経路探索の処理動作を説明するフローチャート、図３３は経路誘導の処理動作を説明するフローチャートであり、以下、これらの図を参照して、目的地の入力から経路誘導までについて説明する。まず、図３０、図３１を参照して目的地を入力させて目的地の地名を確定する処理について説明する。
【０１２２】
（１）目的地入力の処理が開始されると、ナビ装置は、自装置が車内にあるか否かを検出し、車内にある場合、車で移動することができる範囲が広範囲であるため、全国の地名を選択可能な候補として挙げておく（ステップＳ３００１、Ｓ３００２）。
【０１２３】
（２）ステップＳ３００１で、ナビ装置が車外にあると判定された場合、ナビ装置は、自装置の現在位値を計測し、その現在地の周辺の地名を選択可能な候補として挙げておく。現在地周辺とは、人が徒歩で移動可能な範囲であればよく、数キロメートル程度の範囲である（ステップＳ３００３、Ｓ３００４）。
【０１２４】
（３）ステップＳ３００２、Ｓ３００４で挙げられた地名の候補は、ナビ装置の内部のメモリ等に格納された状態で、表示は行われない。候補を挙げる処理が終了すると、ソフトウェアキーを表示する。ここで最初に表示されるソフトウェアキーは、ひらがなのＪＩＳ配列のキーであってもよいが、ここでは、だれでもが使い安い図３１（ａ）に示すような五十音配列のキーを表示することとする（ステップＳ３３０５）。
【０１２５】
（４）利用者が、目的地の地名の最初の仮名を入力（その表示文字に触れる）すると、五十音配列のキーの上に入力されたひらがなが表示され、次に入力することが可能なキーが他のキーとは異なる色で表示されたり、あるいは、濃い色で囲まれたりして表示される。図３１（ｂ）に示す例は、ナビ装置が車内にあり、最初の文字として、「ひ」が入力された状態を示している。ナビ装置が車内にある場合、全国の地名が候補となり、「ひ」が先頭となる全国の地名の次の文字のキーが前述したような入力可能なキーとして表示される。「ひ」が先頭となる全国の地名として、例えば、「ひたち」、「ひゅうが」、「ひろしま」、「ひょうご」等があるので、次にくる文字としての「た」、「ゅ」、「ろ」、「ょ」のキーが入力可能な文字として表示される。また、図３１（ｃ）に示す例は、ナビ装置が車内にあり、最初の文字として、「ひ」が入力された状態を示している。ナビ装置が車外にある場合、現在地の周辺の地名が候補となる。いま、ナビ装置が日立市周辺に位置しており、「ひ」が先頭となる周辺の地名として、「ひたち」しかないとすると、次にくる文字としての「た」のキーが入力可能な文字として表示される。第２文字の入力後も前述と同様に、次に入力可能な文字が表示されていき、利用者は、容易に目的地となる地名の入力を行い、確定させることができる（ステップＳ３００６、Ｓ３００７）。
【０１２６】
次に、前述したようにして入力された目的地への経路の探索の処理を図３２に示すフローを参照して説明する。
【０１２７】
（１）経路探索の処理が開始されると、ナビ装置は、自装置が車内にあるか否かを検出し、車内にある場合、経路探索の方法を、一方通行を考慮したモードに設定し、また、広い道路を優先するモードに設定する（ステップＳ３２０１〜Ｓ３２０３）。
【０１２８】
（２）ステップＳ３２０１で、ナビ装置が車外にあると判定された場合、ナビ装置は、経路探索の方法を、一方通行を考慮しないモードに設定し、また、最短となる経路を優先するモードに設定する（ステップＳ３２０４、Ｓ３２０５）。
【０１２９】
（３）ステップＳ３２０３、Ｓ３２０５で各モードの設定を終了させた後、ナビ装置は、それぞれのモードに従って経路の探索を行い、得られた経路を表示されている地図の上に表示する。なお、経路探索の具体的な方法は、従来から知られているナビゲーションシステムでの手法と同様である（ステップＳ３２０６、Ｓ３２０７）。
【０１３０】
次に、前述のようにして探索された経路に従って、経路誘導を行う場合の処理を図３３に示すフローを参照して説明する。
【０１３１】
（１）経路誘導の処理が開始されると、ナビ装置は、自装置が車内にあるか否かを検出し、車内にある場合、目的地に行く途中で右左折する交差点等の誘導ポイントに対して予め決めた手前の地点（説明している例では３００ｍ手前の地点）に達したか否かをチェックし、達していなければ、なにもせずに処理を終了する（ステップＳ３３０１、Ｓ３３０２）。
【０１３２】
（２）ステップＳ３３０２で、誘導ポイントに対して予め決めた手前の地点に達していれば、画面表示の中での案内を行うと共に、音声による案内を行って、この時点での誘導の処理を終了する。画面による案内は、例えば、交差点の付近を拡大表示し、曲がる方向を指示する等によりおこなわれ、また、音声による案内は、例えば、交差点で曲がる方向を言葉で指示する等により行われる（ステップＳ３３０３、Ｓ３３０４）。
【０１３３】
（３）ステップＳ３３０１で、自装置が車外にあると判定した場合、ナビ装置は、目的地に行く途中の建物、施設等の誘導ポイントに対して予め決めた手前の地点（説明している例では１０ｍ手前の地点）に達したか否かをチェックし、達していなければ、なにもせずに処理を終了する（ステップＳ３３０５）。
【０１３４】
（４）ステップＳ３３０５で、誘導ポイントに対して予め決めた手前の地点に達していれば、画面表示の中での案内を行う。そして、ナビ装置自身にイヤホンが接続されているか否かをチェックし、イヤホンが接続されていれば、音声による案内を行う（ステップＳ３３０６〜Ｓ３３０８）。
【０１３５】
前述した経路誘導の処理において、誘導ポイントの手前何メートルで案内を行うかは、事前に何らかの方法によりユーザが指定することができるようにしてもよい。また、持ち歩いているときの音声による案内は、イヤホンが接続されていない場合にも行うようにユーザにより設定することができる。さらに、持ち歩いているとき、あるいは、車載の状態にあるときの案内は、経路の案内ばかりでなく、表示されている地図が観光地等を含む場合、特に、予め作成した旅行プランでの観光地等の地図をサービスセンタからダウンロードして使用する場合、観光を行うことになっている施設を誘導ポイントとしておき、これらの施設についての歴史、特徴等の説明、行われているイベントの情報、付近にある食事のできる場所、宿泊設備等とすることができる。また、予定にない施設等を訪れるような場合、その施設に関連する情報をサービスセンタからダウンロードして案内することができる。
【０１３６】
次に、本発明の実施形態によるナビ装置２３１は、これを使用して、旅行先等でドライブ（旅行）計画を作成したり変更したりして旅行を続けることができる。以下、このような場合の処理について図面により説明する。
【０１３７】
図３４はドライブ（旅行）計画を作成、変更する場合のメニュー画面の例を説明する図、図３５は作成した計画に必要な地図情報等をナビ装置に表示するまでの処理動作を説明するフローチャートである。
【０１３８】
ナビ装置からネットワークを介してサービスセンタにアクセスして旅行計画の作成、変更を依頼すると、まず、サービスセンタから図３４（ａ）に示すようなメインメニューが送られてきて表示される。ここでのメニューの例は、新たな「ドライブ計画を作る」、すでに作成されている計画の中から選択する「過去のドライブ計画から選ぶ」、サービスセンタが予め用意しているものから選択する「おすすめドライブコースから選ぶ」の３つが示されているが、さらに他のメニューがあってもよい。ユーザが、メインメニューの１つを選択すると、図３４（ｂ）に示すように、選択されたメインメニューに対応して、旅行したい地域を選択するメニューが送られてきて表示される。このメニューの１つをユーザが選択すると、図３４（ｃ）に示すように、選択された地域の「過去のドライブ計画」、「おすすめドライブコース」が表示される。また、新たに計画を作る場合にも、その地域の主な観光スポット名等が表示される。ユーザがここでのメニューの１つを選択すると、この選択されたメニューがサービスセンタに送信され、その後、ナビ装置により、図３５に示すフローに従った処理が開始される。以下、これについて説明する。
【０１３９】
（１）図３４（ｃ）に示すメニューから選択された旅行計画、あるいは、主な観光スポット名による旅行計画をサービスセンタからダウンロードする。そして、ユーザは、ダウンロードされて表示されている旅行計画の中の目的地、経由地を順次決定してサービスセンタに送信する（ステップＳ３５０１、Ｓ３５０２）。
【０１４０】
（２）サービスセンタは、送信されてきた目的地、経由地に基づいて経路の探索を行い、探索終了をナビ装置に報告してくるので、ナビ装置は、この経路探索結果をダウンロードする（ステップＳ３５０３）。
【０１４１】
（３）そして、ナビ装置は、自装置内に対応する地図があるか否かを調べ、地図がない場合、サービスセンタからダウンロードするか否かをユーザに入力させる。ダウンロードを要求しない場合、経路だけを表示して処理を終了する（ステップＳ３５０４〜Ｓ３５０６、Ｓ３５１１）。
【０１４２】
（４）ステップＳ３５０５で、自装置内に対応する地図があった場合、サービスセンタから新たな地図のダウンロードを要求するか否かをユーザに入力させる（ステップＳ３５０７）。
【０１４３】
（５）ステップＳ３５０６、Ｓ３５０７でユーザがダウンロードを要求した場合、地図をサービスセンタからダウンロードし、また、ステップＳ３５０７地図のダウンロードを要求しなかった場合、自装置内の地図をロードして、地図を表示する。そして、地図の上に経路を表示して処理を終了する（ステップＳ３５０８〜Ｓ３５１１）。
【０１４４】
【発明の効果】
以上説明したように本発明によれば、きめ細かい旅行案内サービスを行うことができ、また、現地でのプランの変更等をも容易に行うことができる。また、自動車等に乗っているか、歩いているかにより適切な経路の案内をも行うことができる。
【図面の簡単な説明】
【図１】本発明の一実施形態が適用された旅行案内システムの概略図である。
【図２】図１に示す旅行プランサービスセンタ10の機能構成図である。
【図３】図１に示すユーザ端末201〜203の機能構成図である。
【図４】図１に示す予約センタ301〜303の機能構成図である。
【図５】図１に示す各装置のハードウエア構成例を示す図である。
【図６】図２に示す旅行プランサービスセンタ10の旅行モデル雛型データベース105に格納されるデータを説明するための図である。
【図７】図２に示す旅行プランサービスセンタ10の宿泊施設データベース106に格納されるデータを説明するための図である。
【図８】本発明の一実施形態が適用された旅行案内システムにおける旅行モデルプラン決定手順の動作シーケンスを示す図である。
【図９】本発明の一実施形態が適用された旅行案内システムにおける旅行モデルプラン変更手順の動作シーケンスを示す図である。
【図１０】本発明の一実施形態が適用された旅行案内システムにおける旅行モデルプラン予約手順の動作シーケンスを示す図である。
【図１１】図１に示すユーザ端末201〜203の表示画面に表示されるメニュー画面の一例を示す図である。
【図１２】図１１において、メニュー画面の表示エリア2037に旅行モデルプランが表示され、表示エリア2042に、表示エリア2037に表示中の旅行モデルプランのイベント代替候補群データに含まれるイベント代替候補の施設データが表示された場合の画面例を示す図である。
【図１３】図１２に示すメニュー画面の表示エリア2037に表示中の旅行モデルプランを、修正ボタン群2036を用いて変更した場合における画面の変化を説明するための図である。
【図１４】図１２に示すメニュー画面の表示エリア2037に表示中の旅行モデルプランを、修正ボタン群2036を用いて変更した場合における画面の変化を説明するための図である。
【図１５】図１２に示すメニュー画面の表示エリア2037に表示中の旅行モデルプランを、修正ボタン群2036を用いて変更した場合における画面の変化を説明するための図である。
【図１６】図１２に示すメニュー画面の表示エリア2037に表示中の旅行モデルプランを、修正ボタン群2036を用いて変更した場合における画面の変化を説明するための図である。
【図１７】図１２に示すメニュー画面の表示エリア2037に表示中の旅行モデルプランを、修正ボタン群2036を用いて変更した場合における画面の変化を説明するための図である。
【図１８】図１２に示すメニュー画面の表示エリア2037に表示中の旅行モデルプランを、修正ボタン群2036を用いて変更した場合における画面の変化を説明するための図である。
【図１９】携帯電話機のような表示画面の小さいユーザ端末におけるメニュー画面の構成例を説明するための図である。
【図２０】携帯電話機のような表示画面の小さいユーザ端末におけるメニュー画面の構成例を説明するための図である。
【図２１】携帯電話機のような表示画面の小さいユーザ端末におけるメニュー画面の構成例を説明するための図である。
【図２２】経路の誘導を受ける場合の概念を説明するシステム構成を示す図である。
【図２３】経路誘導用の端末装置の外観を説明する図である。
【図２４】経路誘導用の端末装置を車内に設置した状態を説明する図である。
【図２５】経路誘導用の端末装置の表示部に表示される画面例を説明する図である。
【図２６】情報の取り出し先を選択する処理を説明するフローチャートである。
【図２７】図２７は取り出し先の選択を行うメニュー画面の例を説明する図である。
【図２８】取り出された情報が地図情報である場合の表示内容の選択を行う処理を説明するフローチャートである。
【図２９】ＧＰＳ信号を受信することができず、ナビ装置の位置が正確に判らない場合の処理を説明する図である。
【図３０】目的地を入力させて目的地の地名を確定する処理動作を説明するフローチャートである。
【図３１】目的地の名称入力のためのソフトキーの例について説明する図である。
【図３２】経路探索の処理動作を説明するフローチャートである。
【図３３】経路誘導の処理動作を説明するフローチャートである。
【図３４】ドライブ（旅行）計画を作成、変更する場合のメニュー画面の例を説明する図である。
【図３５】作成した計画に必要な地図情報等をナビ装置に表示するまでの処理動作を説明するフローチャートである。
【符号の説明】
１０  旅行プランサービスセンタ
２２１  自動車
２２２  歩行者
２３１  経路誘導用の端末装置（ナビ装置）
２３２  ＧＰＳのアンテナ
２３３  表示画面
２３４  制御用キー群
２３５  電源コネクタ
２３６  イヤホン
２３７  スタンド
２３８  スイッチ
【図１】
0004496326.tif 000002
【図２】
0004496326.tif 000003
【図３】
0004496326.tif 000004
【図４】
0004496326.tif 000005
【図５】
0004496326.tif 000006
【図６】
0004496326.tif 000007
【図７】
0004496326.tif 000008
【図８】
0004496326.tif 000009
【図９】
0004496326.tif 000010
【図１０】
0004496326.tif 000011
【図１１】
0004496326.tif 000012
【図１２】
0004496326.tif 000013
【図１３】
0004496326.tif 000014
【図１４】
0004496326.tif 000015
【図１５】
0004496326.tif 000016
【図１６】
0004496326.tif 000017
【図１７】
0004496326.tif 000018
【図１８】
0004496326.tif 000019
【図１９】
0004496326.tif 000020
【図２０】
0004496326.tif 000021
【図２１】
0004496326.tif 000022
【図２２】
0004496326.tif 000023
【図２３】
0004496326.tif 000024
【図２４】
0004496326.tif 000025
【図２５】
0004496326.tif 000026
【図２６】
0004496326.tif 000027
【図２７】
0004496326.tif 000028
【図２８】
0004496326.tif 000029
【図２９】
0004496326.tif 000030
【図３０】
0004496326.tif 000031
【図３１】
0004496326.tif 000032
【図３２】
0004496326.tif 000033
【図３３】
0004496326.tif 000034
【図３４】
0004496326.tif 000035
【図３５】
0004496326.tif 000036